(57)【要約】  電気掃除機の負圧を利用したモップに付着した埃等の吸引具。  ホース連結具（１０）は、一方の開口を第一の流入口（３１）とし、一方の開口と通じる他方の開口を流出口（３３）として構成される接続管（１４）と、接続管（１４）の側面に設けられ、その開口を第二の流入口（３２）として構成される分岐管（１５）と、接続管（１４）と分岐管（１５）とが合流する弁箱（３５）の内壁に接する形で分岐管（１５）の管軸を回転軸として回動可能に配され、第一側壁（４１）と、第二側壁（４２）と、分岐管（１５）側に臨む第三側壁（４３）と、貫通孔（４５）と、第三側壁（４３）から第二側壁（４２）に連通する連通溝（４６）と、を有するボール弁（４０）と、を備える。ボール弁（４０）を回転させることで、貫通孔（４５）によって第一の流入口（３１）と流出口（３３）とが連通する第一連通状態と、連通溝（４６）によって第二の流入口（３２）と流出口（３３）とが連通する第二連通状態と、が切替えられる。
2014010668.tif 000002
【特許請求の範囲】
【請求項１】
両端が開口した中空とされ、一方の開口部を第一の流入口とし、該一方の開口部と通じる他方の開口部を流出口として構成される接続管と、
前記接続管の側面に設けられ、その開口部を第二の流入口として構成される分岐管と、
略球状をなし、前記接続管の前記第一の流入口と前記分岐管の前記第二の流入口とが合流する弁箱内において該弁箱の内壁に接する形で前記分岐管の管軸を回転軸として回動可能に配されるとともに、第一側壁と、第二側壁と、前記分岐管側に臨む第三側壁と、貫通孔と、前記第三側壁から前記第二側壁に連通する連通溝と、を有するボール弁と、を備え、
前記ボール弁を前記回転軸の軸線周りに回転させることで、前記貫通孔によって前記第一の流入口と前記流出口とが連通する第一連通状態と、前記第一側壁が前記第一の流入口に臨むとともに前記第二側壁が前記流出口に臨んだ状態において、前記連通溝によって前記第二の流入口と前記流出口とが連通する第二連通状態と、が切替えられるホース連結具。
【請求項２】
前記第一の流入口と前記流出口とを連通する第一連通路と、前記第二の流入口と前記流出口とを連通する第二連通路と、は前記ボール弁の内壁によって隔てられることで互いに独立したものとされる請求項１に記載のホース連結具。
【請求項３】
前記ボール弁の回転角度によって、前記第一連通状態における前記第一の流入口から前記流出口への流通量と、前記第二連通状態における前記第二の流入口から前記流出口への流通量とが調整可能とされる請求項１又は請求項２に記載のホース連結具。
【請求項４】
前記分岐管は第一分岐管とされ、
前記接続管の側面にその開口部を第三の流入口として構成される第二分岐管を備え、
前記ボール弁は、前記貫通孔を挟んで前記第三側壁とは反対側にするとともに前記第二分岐管側に臨むものとされた第四側壁を有し、
前記連通溝は、前記第三側壁と前記第四側壁との各々から前記第二側壁に連通するものとして構成され、
前記第二連通状態では、前記連通溝によって前記第二の流入口と前記第三の流入口と前記流出口とを連通するものとされる請求項１から請求項３のいずれか１項に記載のホース連結具。
【請求項５】
前記分岐管は第一分岐管とされ、
前記連通溝は第一連通溝とされ、
前記接続管の側面にその開口部を第三の流入口として構成される第二分岐管を備え、
前記ボール弁は、前記貫通孔を挟んで前記第三側壁とは反対側に位置するとともに前記第二分岐管側に臨むものとされた第四側壁を有し、
前記ボール弁は、前記第一側壁から前記第四側壁に連通するとともに前記第一連通溝と独立したものとされる第二連通溝を有し、
前記第二連通状態では、前記第一連通溝と前記第二連通溝のいずれか一方によって前記第二の流入口と前記流出口とが連通するものとされる請求項１から請求項３のいずれか１項に記載のホース連結具。
【請求項６】
前記ボール弁は、前記分岐管側に臨む部位の一部に該分岐管の管軸方向に沿って延びるボール弁側リブを有し、該ボール弁側リブの端部が前記分岐管の管軸周りの方向に押されることで前記分岐管の管軸を回転軸として回動するものとされる請求項１から請求項５のいずれか１項に記載のホース連結具。
【請求項７】
筒状の清掃部を有し、該清掃部の連結管が請求項１から請求項６に記載のホース連結具における前記分岐管に回動可能に連結されたモップ吸引具であって、
前記ボール弁の前記回転軸が前記連結管の回動中心位置に取り付けられ、
前記清掃部を回動させることで前記第一連通状態と前記第二連通状態とが切替えられるモップ吸引具。
【請求項８】
前記清掃部は、略筒状をなす周壁の両端が開口する開口部とされ、
前記開口部は、内周縁部が外側に拡がるとともに、前記周壁の中央部方向に延伸するＲ曲がり形状に形成されている請求項７に記載のモップ吸引具。
【請求項９】
前記清掃部の前記周壁の側面に、一方の前記開口部から他方の前記開口部まで延びる切れ目が設けられ、
可撓性を有する覆いカバーが前記切れ目を塞ぐ形で前記清掃部に固定されている請求項７または請求項８に記載のモップ吸引具。
【請求項１０】
床掃除の吸引具と電気掃除機本体内における集塵室との間のホースの途中、または、該ホースの端部のホース接続部、に取り付けられた請求項１から請求項６のいずれか１項に記載のホース連結具と、を備える電気掃除機。
【請求項１１】
略球状をなすボール弁であって、該ボール弁を貫通する貫通孔と、第一側壁と、前記貫通孔を挟んで該第一側壁とは反対側に位置する第二側壁と、第三側壁と、前記第一側壁と前記第二側壁との各々と隣り合うとともに前記貫通孔を挟んで該第三側壁とは反対側に位置する第四側壁と、を有するボール弁であって、
前記第三側壁から前記第二側壁に連通する連通溝と、前記第四側壁から前記第二側壁に連通する連通溝と、前記第三側壁と前記第四側壁の各々から前記第二側壁と前記第一側壁のいずれか一方に連通する連通溝と、のうち少なくとも一つの前記連通溝が設けられたボール弁。
【発明の詳細な説明】
【技術分野】
【０００１】
この発明は、電気掃除機の負圧によって清掃用としてのモップに付着した埃等を取り除くことが可能なホース連結具、モップ吸引具、電気掃除機、及びボール弁に関する。
【背景技術】
【０００２】
従来、電気掃除機のホースやパイプに連結することで、電気掃除機のメインの吸引路をサブの吸引路に切替えることが可能な切替構造を有するホース連結具が知られている（特許文献１参照）。【０００３】
ところで、複雑な凹凸面のある個所や、床の壁際や狭くて電気掃除機の吸引部が入らない個所、埃が被清掃面に吸着している個所の清掃用具として、極細繊維を用いたモップが使用されている。【０００４】
モップによる清掃によって、モップの極細繊維に多くの埃等が付着する。モップに多くの埃等が付着した状態で清掃を継続すると付着した埃がモップから飛散する懸念がある。また、モップによる清掃の際、モップの極細繊維に埃だけでなく砂や金属片などの硬いものも付着する場合があり、このような硬いものが付着した状態で清掃を継続することで清掃面を傷つけてしまう懸念がある。このため、モップからの埃等の飛散や清掃面の傷つきを防止するために、モップに埃、砂、金属片などが付着する度に、それらを電気掃除機等の吸引機能を有する機器にて吸引する、または屋外にて叩いてモップから取り除く必要がある。【０００５】
そこで、モップに付着した埃等を吸引する吸引具を上記したホース連結具のように電気掃除機のホースに連結し、電気掃除機のメインの吸引路をサブの吸引路に切替えることで、電気掃除機の負圧によってモップに付着した埃、塵、異物等をサブの吸引路で吸引するモップ吸引具が知られている（特許文献２参照）。このモップ吸引具は、両端が開口部とされてモップを挿入可能な筒状をなすとともに側面に切れ目が設けられた清掃部を有している。このモップ吸引具では、モップの柄を把持したまま上記切れ目よりモップの柄を挿入して清掃部内に引き入れ、静電気で膨張して拡がったモップの極細繊維を窄めながら清掃部内に引き入れることで、清掃部内において電気掃除機の負圧によってモップに付着した埃等を吸引することができる。
【先行技術文献】
【特許文献】
【０００６】
【特許文献１】特開２０１１−２１２０３７号公報
【特許文献２】特開２０１１−０８７６６９号公報
【発明の概要】
【発明が解決しようとする課題】
【０００７】
しかしながら、上記したモップ吸引具は、電気掃除機に連結された状態において、埃等を吸引する清掃部が取り付けられているホースやパイプ内の負圧を強く保つために、電気掃除機の床清掃部を常に接地させている必要があった。また、より強い吸引力を得るためには、床掃除の吸引具の吸引路を閉じ、モップ吸引具専用の吸引路を確保する必要があった。【０００８】
本明細書で開示される技術は上記の問題に鑑みて創作されたものであって、電気掃除機の負圧を利用したモップに付着した埃等の吸引作業の利便性を飛躍的に向上させることが可能なホース連結具、モップ吸引具、電気掃除機、及びボール弁を提供することを目的とする。
本明細書で開示される技術は上記の問題に鑑みて創作されたものであって、電気掃除機の負圧を利用したモップに付着した埃等の吸引作業の利便性を飛躍的に向上させることが可能なモップ吸引具、モップの吸引具等の吸引具を電気掃除機の床掃除の吸引具と電気掃除機本体内の集塵ケースとの間のホースの途中、ホースの接続部に連結可能にするホース連結具、電気掃除機、及びボール弁を提供することを目的とする。
【課題を解決するための手段】
【０００９】
本明細書で開示される技術は、両端が開口した中空とされ、一方の開口部を第一の流入口とし、該一方の開口部と通じる他方の開口部を流出口として構成される接続管と、前記接続管の側面に設けられ、その開口部を第二の流入口として構成される分岐管と、略球状をなし、前記接続管の前記第一の流入口と前記分岐管の前記第二の流入口とが合流する弁箱内において該弁箱の内壁に接する形で前記分岐管の管軸を回転軸として回動可能に配されるとともに、第一側壁と、第二側壁と、前記分岐管側に臨む第三側壁と、貫通孔と、前記第三側壁から前記第二側壁に連通する連通溝と、を有するボール弁と、を備え、前記ボール弁を前記回転軸の軸線周りに回転させることで、前記貫通孔によって前記第一の流入口と前記流出口とが連通する第一連通状態と、前記第一側壁が前記第一の流入口に臨むとともに前記第二側壁が前記流出口に臨んだ状態において、前記連通溝によって前記第二の流入口と前記流出口とが連通する第二連通状態と、が切替えられるホース連結具に関する。【００１０】
上記のホース連結具では、第一連通状態と第二連通状態を切替えることができるので、例えば第二連通状態において連通する連通路をモップに付着した埃等を吸引するための専用の吸引路とすることができる。このため、床掃除のための吸引路とモップに付着した埃等を吸引するための吸引路とが連通している従来の構成と比べて、モップに付着した埃等を吸引するための吸引路における最大吸引力を強めることができる。その結果、吸引力の調整の幅が拡がり、モップに付着した埃等の吸引作業の利便性を飛躍的に向上させることができる。【００１１】
また、従来、車両室内用のハンディ掃除機において隙間ノズルの接続部にモップに付着した埃等を吸引するための連結具が連結された場合、隙間ノズルを封止することが困難であった。これに対し、上記のホース連結具では、モップに付着した埃等を吸引するための専用の吸引路を確保できるため、ハンディ掃除機に当該ホース連結具を介して隙間ノズルが連結された状態において、当該隙間ノズルを容易に封止することができる。このため、車両室内において隙間ノズルでは困難な箇所をモップで掃除する際、モップに付着した埃をハンディ掃除機に連結された上記のホース連結具によって常に吸引することができ、車両室内を清潔に保つことができる。なお、上記のホース連結具には、隙間ノズルに限らず、ブラシノズル等、様々な連結具を連結させることができる。【００１２】
上記のホース連結具において、前記第一の流入口と前記流出口とを連通する第一連通路と、前記第二の流入口と前記流出口とを連通する第二連通路と、は前記ボール弁の内壁によって隔てられることで互いに独立したものとされてもよい。【００１３】
この構成によると、第一連通路と第二連通路のうち一方の吸引路で埃等を吸引する際に、他方の吸引路に当該埃等が舞い込むことがないため、他方の吸引路が当該埃等によって目詰まり等することを防止することができる。【００１４】
上記のホース連結具において、前記ボール弁の回転角度によって、前記第一連通状態における前記第一の流入口から前記流出口への流通量と、前記第二連通状態における前記第二の流入口から前記流出口への流通量とが調整可能とされてもよい。【００１５】
この構成によると、ボール弁の回転角度を調整することで、第一連通状態と第二連通状態との間を徐々に状態遷移させることができ、第一連通状態における吸引力と第二連通状態における吸引力とについて微調整を行うことができる。このため、第一連通状態と第二連通状態との間が即座に切替えられる構成とされた場合に比べて、モップに付着した埃等の吸引作業の利便性を飛躍的に向上させることができる。【００１６】
上記のホース連結具において、前記分岐管は第一分岐管とされ、前記接続管の側面にその開口部を第三の流入口として構成される第二分岐管を備え、前記ボール弁は、前記貫通孔を挟んで前記第三側壁とは反対側にするとともに前記第二分岐管側に臨むものとされた第四側壁を有し、前記連通溝は、前記第三側壁と前記第四側壁との各々から前記第二側壁に連通するものとして構成され、前記第二連通状態では、前記連通溝によって前記第二の流入口と前記第三の流入口と前記流出口とを連通するものとされてもよい。【００１７】
この構成によると、第二連通状態において、第二の流入口と第三の流入口の各々から流出口に連通する連通路を、モップに付着した埃等を吸引するための専用の吸引路とすることができる。このため、第一分岐管側と第二分岐管側とのいずれにも、モップに付着した埃等を吸引するための連結具等を連結することができ、当該ホース連結具の汎用性を向上させることができる。【００１８】
上記のホース連結具において、前記分岐管は第一分岐管とされ、前記連通溝は第一連通溝とされ、前記接続管の側面にその開口部を第三の流入口として構成される第二分岐管を備え、前記ボール弁は、前記貫通孔を挟んで前記第三側壁とは反対側に位置するとともに前記第二分岐管側に臨むものとされた第四側壁を有し、前記ボール弁は、前記第一側壁から前記第四側壁に連通するとともに前記第一連通溝と独立したものとされる第二連通溝を有し、前記第二連通状態では、前記第一連通溝と前記第二連通溝のいずれか一方によって前記第二の流入口と前記流出口とが連通するものとされてもよい。【００１９】
この構成によると、第一連通状態から分岐管の管軸を回転軸としてボール弁を回転させることで、第一連通溝によって第二の流入口と流出口とが連通した第二連通状態と、第二連通溝によって第二の流入口と流出口とが連通した第二連通状態と、のいずれかの第二連通状態に切替えることができる。従って、第一分岐管側と第二分岐管側の各々にモップに付着した埃等を吸引するための連結具を連結しておけば、ボール弁を分岐管の管軸周りに右回り又は左回りのいずれの方向に回転させた場合であっても、第一連通状態から即座に第二連通状態に切替えることができる。このため、ホース連結具の利便性を一層向上させることができる。【００２０】
上記のホース連結具において、前記ボール弁は、前記分岐管側に臨む部位の一部に該分岐管の管軸方向に沿って延びるボール弁側リブを有し、該ボール弁側リブの端部が前記分岐管の管軸周りの方向に押されることで前記分岐管の管軸を回転軸として回動するものとされてもよい。【００２１】
この構成によると、例えば、分岐管の管軸方向に沿って延びるリブを有する連結具を、当該リブの端部がボール弁側リブの端部と分岐管の管軸周りの方向において近接した状態又は当接した状態で当該分岐管に連結させることができる。この場合、上記連結具を分岐管の管軸周りに回転させることで、当該連結具のリブによってボール弁側リブが分岐管の管軸周りの方向に押されるため、ボール弁を分岐管の管軸周りに回転させることができる。このため、例えばボール弁の連通溝内に回転軸となる回転軸部等を設けなくともボール弁を回転させることができる。このように、分岐管に取り付けられた連結具からの回動を受ける前記リブ等の回動受動部をボール弁の連通溝外に設けることにより、連通溝内を流れる吸気等が回転軸部等の障害物に当たることがなく連通溝内を円滑に流れることとなるので、第二連通状態において一層良好な吸引力を確保することができる。【００２２】
本明細書で開示される技術の他の態様は、筒状の清掃部を有し、該清掃部の連結管が上記のホース連結具における前記分岐管に回動可能に連結されるモップ吸引具であって、前記ボール弁の前記回転軸が前記連結管の回動中心位置に取り付けられ、前記清掃部を回動させることで前記第一連通状態と前記第二連通状態とが切替えられるモップ吸引具に関する。【００２３】
上記のモップ吸引具によると、筒状の清掃部を回動させる一度の動作で、第一連通状態と第二連通状態との間を切替えることができる。このため、第一連通状態と第二連通状態との切替機構と、清掃部の回動機構と、が別機構とされている場合と比べて、第一連通状態と前記第二連通状態との間を容易に切替えることができ、モップに付着した埃等の吸引作業の利便性を飛躍的に向上させることができる。【００２４】
上記のモップ吸引具において、前記清掃部は、略筒状をなす周壁の両端が開口する開口部とされ、前記開口部は、内周縁部が外側に拡がるとともに、前記周壁の中央部方向に延伸するＲ曲がり形状に形成されてもよい。【００２５】
この構成によると、モップの極細繊維を筒状の清掃部に窄めて引き込む際、極細繊維が引き込み方向に変形している場合であっても、Ｒ曲がり形状によってその変形が補正される。このため、モップの極細繊維を清掃部に引き込む際のモップに付着している埃等の再飛散を飛躍的に低減することができる。さらに、モップの極細繊維を清掃部に引き込む際に当該極細繊維が清掃部の開口部の縁に引っ掛かることを防止ないし抑制することができる。このため、極細繊維に付着した埃等が清掃部の開口部の縁で落下することを防止ないし抑制することもできる。【００２６】
上記のモップ吸引具において、前記清掃部の前記周壁の側面に、一方の前記開口部から他方の前記開口部まで延びる切れ目が設けられ、可撓性を有する覆いカバーが前記切れ目を塞ぐ形で前記清掃部に固定されていてもよい。【００２７】
この構成によると、モップに付着した埃等を吸引する際に、モップを前後回転させることでモップに付着した埃等が清掃部の側面の切れ目から再飛散することを覆いカバーによって防止ないし抑制することができる。【００２８】
本明細書で開示される技術の他の態様は、床掃除の吸引具と電気掃除機本体内における集塵室との間のホースの途中、または、該ホースの端部のホース接続部、に取り付けられた上記のホース連結具と、を備える電気掃除機に関する。よってキャニスター式掃除機だけでなく、アップライト（竪型）式掃除機、ハンディ式掃除機等の多様な形式の掃除機にも、床掃除の吸引具等の先端部から、その集塵室へのホース（吸引路）の途中の側面に前記分岐管と、合流部に前記弁箱及び前記ボール弁を設けることにより、前記モップ吸引具等の連結可能な吸引具を装着することができる。【００２９】
これによると、モップに付着した埃等の吸引作業の利便性を飛躍的に向上させることが可能な電気掃除機を実現することができる。【００３０】
本明細書で開示される技術の他の態様は、略球状をなすボール弁であって、該ボール弁を貫通する貫通孔と、第一側壁と、前記貫通孔を挟んで該第一側壁とは反対側に位置する第二側壁と、第三側壁と、前記第一側壁と前記第二側壁との各々と隣り合うとともに前記貫通孔を挟んで該第三側壁とは反対側に位置する第四側壁と、を有するボール弁であって、前記第三側壁から前記第二側壁に連通する連通溝と、前記第四側壁から前記第二側壁に連通する連通溝と、前記第三側壁と前記第四側壁の各々から前記第二側壁と前記第一側壁のいずれか一方に連通する連通溝と、のうち少なくとも一つの前記連通溝が設けられたボール弁に関する。【００３１】
これによると、例えば、分岐管を有する管状部材の内部に、経路の切替弁として上記のボール弁を回動可能に配することで、当該管状部材において上記貫通孔を通過する主経路が連通した状態と、上記連通溝の少なくともいずれか一つを通過する分岐路が連通した状態と、を切替えることができる。このため、例えば、当該管状部材を電気掃除機等のホースの接続部に連結し、上記分岐路をモップに付着した埃等を吸引するための専用の吸引路とすることで、床掃除のための吸引路とモップに付着した埃等を吸引するための吸引路とが連通している従来の構成と比べて、モップに付着した埃等を吸引するための吸引路における最大吸引力を強めることができる。その結果、吸引力の調整の幅が拡がり、モップに付着した埃等の吸引作業の利便性を飛躍的に向上させることができる。
【発明の効果】
【００３２】
本明細書で開示される技術によると、電気掃除機の負圧を利用したモップに付着した埃等の吸引作業の利便性を飛躍的に向上させることができる。
【図面の簡単な説明】
【００３３】
【図１】モップ吸引具が連結されたホース連結具を電機掃除機のホース接続部に連結した状態を示す斜視図
【図２】ホース連結具を分岐管側から視た平面図
【図３】モップ吸引具を連結管側から視た平面図
【図４】モップ吸引具の清掃部とホース連結具が並行した状態におけるモップ吸引具の透過平面図
【図５】図２におけるＡ−Ａ断面の断面図
【図６】モップ吸引具の清掃部とホース連結具が直交した状態におけるモップ吸引具の透過平面図
【図７】図４におけるＣ−Ｃ断面の断面図
【図８】ボール弁を示す斜視図
【図９】第一連通状態から第二連通状態へ切替える途中のホース連結具を示す平断面図
【図１０】モップの斜視図
【図１１】モップを柄部の延びる方向に沿って切断した断面の断面図
【図１２】モップをモップ吸引具の清掃部の開口端部に係止した状態のモップ吸引具及びホース連結具を示す斜視図
【図１３】モップに付着した埃等を吸引している状態のモップ吸引具及びホース連結具を示す斜視図
【図１４】実施形態２のボール弁を示す斜視図
【図１５】実施形態２において、弁箱内にボール弁が配されたホース連結具を示す斜視断面図
【図１６】実施形態２のモップ吸引具を連結管側から視た平面図
【図１７】実施形態２の変形例であって、隙間ノズルが取り付けられたホース連結具を示す斜視図
【図１８】実施形態２の変形例であって、隙間ノズルが取り付けられたホース連結具のうちボール弁のみを示す斜視図
【図１９】実施形態３のボール弁を示す斜視図
【図２０】実施形態３において、弁箱内にボール弁が配されたホース連結具を示す斜視断面図
【図２１】実施形態３の変形例であって、ブラシノズルが取り付けられたホース連結具を示す斜視図
【図２２】実施形態３の変形例であって、ブラシノズルが取り付けられたホース連結具を示す断面斜視図
【図２３】実施形態３の変形例であって、ブラシノズルが取り付けられたホース連結具における回転機構を示す斜視図
【発明を実施するための形態】
【００３４】
＜実施形態１＞
図面を参照して実施形態１を説明する。本実施形態では、電気掃除機１に取り付けられた状態のホース連結具１０及びモップ吸引具２０を例示する。図１に示すように、電気掃除機１は、本体部２と、当該本体部２から延びる本体部側ホース３と、当該本体部側ホース３の先端に取り付けられたホース把持部４と、ホース５と、床面の埃等を吸引する床面吸引部６と、を備えている。各部材の継ぎ目は、それぞれホース接続部８とされている。上記したホース連結具１０は、ホース５の端部であってホース把持部４とホース５との間に位置するホース接続部８に接続されている。
【００３５】
図２、図４及び図５に示すように、ホース連結具１０は、接続管１４と、接続管１４の側面から分岐して延びる分岐管１５と、接続管１４と分岐管１５との境界部に配されたボール弁４０と、を備えている。接続管１４は、両端が開口した中空の円管状とされている。分岐管１５は、接続管１４の側面のうち、当該接続管１４の管軸方向の略中央位置から延びるものとされ、その先端が開口している。ホース連結具１０は、接続管１４の管軸方向が電気掃除機１におけるホース５の延びる方向に沿った姿勢で電気掃除機１のホース接続部８に接続される。
【００３６】
図２に示すように、分岐管１５の先端の開口には、当該開口を塞ぐ形で略円板状の連結具側回転弁１６が固定されている。連結具側回転弁７０の中心には、軸部挿通孔７１が設けられている。この軸部挿通孔７１には、後述するボール弁４０の回転軸部４７の先端が挿通されて分岐管１５の外側に突き出た状態となっている。そして、分岐管１５の外側に突き出た回転軸部４７の先端には、軸部補助部材５７が取り付けられている。また、連結具側回転弁７０には、軸部挿通孔７１を挟んで対称となる形で２つの連結具側弁開口部７２が設けられている。
【００３７】
ホース接続部８に接続された状態の接続管１４では、図５に示すように、その両端の開口のうち、電気掃除機１の床面吸引部６側に位置する開口が第一の流入口３１とされ、電気掃除機１の本体部２側に位置する開口が流出口３３とされる。また、分岐管１５の先端の開口は、上記連結具側弁開口部７８を流入口とする第二の流入口３２とされる。従って、電気掃除機１の稼働状態では、図５に示す矢印の方向が吸引方向となる。
【００３８】
ホース連結具１０を構成するボール弁４０は、略球状をなし、接続管１４と分岐管１５との境界部の弁箱３５、換言すれば第一の流入口３１と第二の流入口３２とが合流する弁箱３５内において当該弁箱３５の内壁に接する形で配されている。このため、ボール弁４０によって接続管１４と分岐管１５との間がシールされている。
【００３９】
図８に示すように、ボール弁４０は、その内部を貫通する貫通孔４５と、その側面に設けられた連通溝４６と、を有している。以下では、ボール弁４０の側壁のうち、貫通孔４５の両側に位置する側壁をそれぞれ第一側壁４１、第二側壁４２とし、当該ボール弁４０が弁箱３５内に配された状態において分岐管１５側に臨む側壁を第三側壁４３とし、貫通孔４５を挟んで第三側壁４３とは反対側に位置する側壁を第四側壁４４とする。
【００４０】
貫通孔４５は、その内径が接続管１４の内径とほぼ同等の大きさとされている。連通溝４６は、第三側壁４３から第二側壁４２に連通するとともにボール弁４０の側壁の一部を刳り抜く形で当該ボール弁４０に設けられている（図８参照）。図５等に示すように、第三側壁４３上であって連通溝４６の一部には、ボール弁４０が弁箱３５内に配された状態において分岐管１５の開口に向かって当該分岐管１５の管軸方向に沿って軸状に延びる回転軸部４７が設けられている。分岐管１５の管軸方向において、回転軸部４７の先端の位置は、分岐管１５の開口の位置とほぼ一致している。
【００４１】
また、ボール弁４０の第四側壁４４には、分岐管１５の管軸方向に沿って軸状に浅く突出する軸状突出部４８が設けられている。ボール弁４０は、この軸状突出部４８がホース連結具１０における弁箱３５の内壁３６に設けられた窪み部３６（図５及び図７参照）に嵌め込まれた形で配されることで、当該弁箱３５内において分岐管１５の管軸を回転軸として回動可能に配されるようになっている。
【００４２】
弁箱３５内にボール弁４０が配されたホース連結具１０において、貫通孔４５の貫通方向と接続管１５の管軸方向とが一致した状態（図４及び図５に示す状態）では、第一の流入口３１から貫通孔４５を通過して流出口３３に抜ける連通路（以下、第一連通路５１と称する）が形成される。なお、以下では、貫通孔４５によって第一の流入口３１と流出口３３とが連通する状態を第一連通状態と称する。
【００４３】
図４及び図５に示す状態からボール弁４０を分岐管１５の管軸周りに略９０°回転させると、第一側壁４１が第一の流入口３１に臨むとともに第二側壁４２が流出口３３に臨んだ状態（図６及び図７に示す状態）となり、第一の流入口３１と流出口３３との間がボール弁４０によって完全に塞がれる。この状態では、第二の流入口３２から連通溝４６を通過して流出口３３に抜ける連通路（以下、第二連通路５２と称する）が形成される。第一連通路５１と第二連通路５２とは、ボール弁４０の内壁によって隔てられており、互いに独立したものとなっている。なお、以下では、連通溝４６によって第二の流入口３２と流出口３３とが連通する状態を第二連通状態と称する。
【００４４】
弁箱３５内にボール弁４０が配されたホース連結具１０では、ボール弁４０の回転軸部４７を回転させることで、当該ボール弁４０を分岐管１５の管軸周りに回転させることができ、第一連通状態と第二連通状態とを切替えることができる。なお、ボール弁４０によって接続管１４と分岐管１５との間がシールされているので、第一連通状態において第一連通路５１を通過する吸気が第二の流入口３２側へ漏れることが防止されているとともに、第二連通状態において第二連通路５２を通過する吸気が第一の流入口３１側へ漏れることが防止されている。
【００４５】
ここで、図７に、第一連通状態から第二連通状態へ切替える途中のホース連結具１０を示す平断面図を示す。図７に示すように、回転軸部４７の回転角度を調整することで、第一連通状態における第一の流入口３１から流出口３３への流通量と、第二連通状態における第二の流入口３２から流出口３３への流通量とを調整することができる。
【００４６】
続いてホース連結具１０に連結されたモップ吸引具２０について説明する。図３に示すように、モップ吸引具２０は、ホース連結具１０の分岐管１５に連結される円管状の連結管２１と、連結管２１に接続された略筒状の清掃部２２と、を備えている。
【００４７】
連結管２１は、両端が開口するとともに、その内径がホース連結具１０の分岐管１５の外径より一回り大きなものとされている。連結管２１は、分岐管１５の外面のほぼ全域を覆う形で、当該分岐管１５に対してその管軸周りに回動可能に連結されている。また、連結管２１の外面の一部には、外側に向かって棒状に延びる回転ハンドル２５が設けられている。
【００４８】
清掃部２２は、略筒状をなす周壁２３の両端が開口する開口部２４とされ、その筒軸方向が連結管２１の管軸方向に直交する姿勢で当該連結管２１と連なっている。従って、連結管２１から延びる回転ハンドル２５を当該連結管２１の管軸周りに回転させることで、連結管２１とともに当該連結管２１と連なる清掃部２２を当該連結管２１の管軸周りに回転できるようになっている。
【００４９】
また、清掃部２２の両開口部２４は、それぞれ内周縁部が外側に拡がる形状とされている。また、両開口部２４には、周壁２３の中央部方向に延伸するＲ曲がり形状とされたＲ曲がり形状部２６（図５参照）が設けられている。
【００５０】
また、清掃部２２には、図１に示すように、その周壁２３の側壁のうち分岐管１５と連結される側とは反対側の部位に、一方の開口部２４から他方の開口部２４まで延びる切れ目２７が設けられている。この切れ目２７には、当該切れ目２７を塞ぐ形で当該切れ目２７の両側縁部の一方に覆いカバー５０を固定することが可能となっている。なお、図６、図７等では、清掃部２２の切れ目２７にゴム性を有する発泡体で形成された覆いカバー５０が固定された状態を示している。
【００５１】
図３に示すように、連結管２１の開口のうち清掃部２２と連なる側とは反対側の開口には、当該開口を塞ぐ形で略円板状の吸引具側回転弁８０が固定されている。吸引具側回転弁８０の中心には、軸部固定孔８１が設けられている。この軸部固定孔８１には、ボール弁４０の回転軸部４７の先端に取り付けられた軸部補助部材５７が固定されるようになっている。また、吸引具側回転弁８０には、軸部固定孔８１を挟んで対称となる形で２つの吸引具側弁開口部８２が設けられている。これら吸引具側弁開口部８２は、上述した連結具側弁開口部７２とその形状及び大きさがほぼ一致するものとされる。
【００５２】
ホース連結具１０とモップ吸引具２０が連結された状態では、モップ吸引具２０を回転させることで清掃部２２の筒軸方向と接続管１４の管軸方向とが略平行となったときに、吸引具側弁開口部８２と連結具側弁開口部７２とが重なり合い、連結管２１と分岐管１５との間が連通する。これにより、連結管２１を経由して分岐管１５の第二の流入口３２と清掃部２２とが連通する。一方、モップ吸引具２０を回転させることで清掃部２２の筒軸方向と接続管１４の管軸方向とが略直交すると、吸引具側弁開口部８２が連結具側回転弁７０によって塞がれ、換言すれば連結具側弁開口部７２が吸引具側回転弁８０によって塞がれ、連結管２１と分岐管１５の間が遮蔽された状態となる。
【００５３】
ここで、ホース連結具１０とモップ吸引具２０が連結された状態では、吸引具側回転弁８０の軸部固定孔８１にボール弁４０の回転軸部４７の先端に取り付けられた軸部補助部材５７が固定されるため、モップ吸引具２０を回転させるのに伴ってボール弁４０を回転させることができるようになっている。このため、回転ハンドル２５を回転させることで、連結管２１及び清掃部２２とともにボール弁４０を連結管２１の管軸周り（分岐管１５の管軸周り）に回転できるようになっている。従って、ホース連結具１０の第二連通状態では、モップ吸引具２０の清掃部２２から流出口３３に抜ける連通路が形成される。
【００５４】
図１０に示すモップ６０は、可撓性を有する材料で形成された柄部６１と、柄部６１の先端に取り付けられた繊維部６２と、からなるものとされる。柄部６１は、図１１に示すように、第一柄部６４Ａと、第二柄部６４Ｂと、一端に設けられた第三柄部６４Ｃと、他端に設けられた繊維固定部６５と、爪部６６と、からなるものとされる。繊維部６２は、繊維固定部６５に固定されるとともに極細繊維群６３により構成され、埃等を付着させるために好適なものとなっている。
【００５５】
第一柄部６４Ａは繊維固定部６５から連なるものとされる。第二柄部６４Ｂは、第一曲がり部６７Ａを介して第一柄部６４Ａから連なるものとされる。第三柄部６４Ｃは、第二曲がり部６７Ｂを介して第二柄部６４Ｂから連なるものとされる。爪部６６は、ポリプロピレン製の容易に撓む素材で形成されている。爪部６６は、第二曲がり部６７Ｂから上記把持部とは反対側、即ち第一柄部６４Ａ側に向かって、当該第一柄部６４Ａとの間に離間空間ＳＳを保った状態で延伸するものとされている。爪部６６の先端は第一柄部６４Ａの側面と当接している。
【００５６】
モップ６０は、図１２に示すように、その爪部７５と第一柄部７１の側面との間にモップ吸引具２０の清掃部２２における開口部２４の縁を挟持させることで、モップ吸引具２０に係止させることが可能となっている。
【００５７】
続いて、電気掃除機１に連結されたホース連結具１０及びモップ吸引具２０を用いてモップ６０に付着した埃等を吸引する作業について説明する。まず、モップ吸引具２０の回転ハンドル２５を回すことでホース連結具１０を第一連通状態から第二連通状態に切替える。
【００５８】
次に、埃等が付着したモップ６０の柄部６１をモップ吸引具２０の清掃部２２の切れ目２７から清掃部２２内に挿入し、モップ６０の繊維部６２を窄めながら清掃部２２内に引き込む。この状態において電気掃除機１を稼働させることでモップ６０の繊維部６２に付着した埃等を、第二連通路を経由して電気掃除機１の吸引力によって吸引させることができる。
【００５９】
ホース連結具１０が第二連通状態に切替えられることで、第一連通路５１が完全に塞がるため、電気掃除機１の最大吸引力でモップ６０の繊維部６２に付着した埃等を吸引させることができる。このため、本実施形態のホース連結具１０では、従来に比べて吸引作業の利便性を飛躍的に向上させることができる。
【００６０】
＜実施形態２＞
実施形態２のボール弁３４０は、図１４に示すように、その内部を貫通する貫通孔３４５と、その側面に設けられた連通溝３４６と、を有している。この連通溝３４６は、実施形態１のものと異なっており、第三側壁３４３から第二側壁３４２を通って第四側壁３４４に連通するとともにボール弁３４０の側壁の一部を刳り抜く形で当該ボール弁３４０に設けられている。
【００６１】
上記ボール弁３４０が弁箱内に配された本実施形態のホース連結具３１０は、図１５に示すように、接続管３１４の側方から２つの分岐管（以下、それぞれ第一分岐管３１５Ａ、第二分岐管３１５Ｂと称する）が分岐して延びる構成とされている。第一分岐管３１５Ａと第二分岐管３１５Ｂは、その管軸が一致するとともに接続管３１４の管軸と直交するように当該接続管３１４からそれぞれ延びている。そして、ボール弁３４０は、その第三側壁３４３が第一分岐管３１５Ａ側に臨むとともに、その第四側壁３４４が第二分岐管３１５Ｂ側に臨む姿勢で配される。
【００６２】
ホース連結具３１０では、第一分岐管３１５Ａの先端の開口が第二の流入口３３２とされ、第二分岐管３１５Ｂの先端の開口が第三の流入口３３４とされる。本実施形態では、第二の流入口３３２と第三の流入口３３４の各々から連通溝３４６を通過して流出口３３３に抜ける第二連通路３５２が形成される。
【００６３】
また、本実施形態のボール弁３４０は、図１４及び図１５に示すように、第一分岐管３１５Ａ側に臨む部位の一部、即ち第三側壁３４３の一部に、第一分岐管３１５Ａの管軸方向に沿って延びる第１のボール弁側リブ３４９Ａを有している。また、第二分岐管３１５Ｂ側に臨む部位の一部、即ち第四側壁３４４の一部にも、第２のボール弁側リブ３４９Ｂを有している。第１のボール弁側リブ３４９Ａ及び第２のボール弁側リブ３４９Ｂは、それぞれ連通溝３４６の縁周りに沿って平面視において略半円状となるように設けられている。
【００６４】
第一分岐管３１５Ａと第二分岐管３１５Ｂとの少なくとも一方に連結されるモップ吸引具３２０は、図１６に示すように、連結管３２１における開口の縁周りに、ホース連結具３１０に連結された状態で第一分岐管３１５Ａ及び第二分岐管３１５Ｂの管軸方向に沿って延びる連結管側リブ３２９Ａを有している。
【００６５】
モップ吸引具３２０の清掃部３２２の筒軸方向とホース連結具３１０の接続管３１４の管軸方向とが略平行となるようにホース連結具３１０にモップ吸引具３２０が連結されると、図１６に示すように、第１のボール弁側リブ３４９Ａの一端３４９Ａ１が第一分岐管３１５Ａ及び連結管３２１の管軸に周りの方向において連結管側リブ３２９Ａの一端３２９Ａ１と近接するとともに、第１のボール弁側リブ３４９Ａの他端３４９Ａ１が第一分岐管３１５Ａ及び連結管３２１の管軸に周りの方向において連結管側リブ３２９Ａの他端３２９Ａ２と近接する。
【００６６】
上記近接した状態において、モップ吸引具３２０を第一分岐管３１５Ａの管軸周りに回転させると、第１のボール弁側リブ３４９Ａの一端３４９Ａ１又は他端３４９Ａ２が連結管側リブ３２９Ａの一端３２９Ａ１又は他端３２９Ａ２によって当該管軸周りに押され、第１のボール弁側リブ３４９Ａが当該管軸周りに回転する。即ち本実施形態では、第１のボール弁側リブ３４９Ａ及び連結管側リブ３２９Ａが、ボール弁３４０を回転させるための回転機構としての機能を果たすこととなる。
【００６７】
本実施形態のホース連結具３１０では、モップ吸引具３２０を第一分岐管３１５Ａの管軸周りに回転させることで、当該モップ吸引具３２０の連結管側リブ３２９によってボール弁側リブ３４９Ａが第一分岐管３１５Ａの管軸周りの方向に押されるため、ボール弁３４０を第一分岐管３１５Ａの管軸周りに回転させることができる。本実施形態では、連通溝３４６内を流れる吸気等が回転軸部等の障害物に当たることがなく連通溝３４６内を円滑に流れることとなるので、第二連通状態において一層良好な吸引力を確保することができる。
【００６８】
＜実施形態２の変形例＞
本変形例では、図１７に示すように、ホース連結具３１０に隙間ノズル３９０が連結された構成を例示する。隙間ノズル３９０は、図１７及び図１８に示すように、第一連結部３９１Ａと、第二連結部３９１Ｂと、ノズル部３９２と、から構成される。第一連結部３９１Ａと第二連結部３９１Ｂは、それぞれホース連結具３１０の第一分岐管３１５Ａと第二分岐管３１５Ｂとに連結させることが可能となっている。ノズル部３９２は、第一連結部３９１Ａ及び第二連通部３９１Ｂと連通するとともに、その先端が埃等を吸引する吸気口となっている。なお、第一連結部３９１Ａと第二連結部３９１Ｂには、それぞれノズル側リブ３９９Ｂが設けられている。
【００６９】
上記のような構成の隙間ノズル３９０がホース連結具３１０に連結されることで、第二連通状態において、ノズル部３９２に吸引された埃等をホース連結具３１０の第一分岐管３１５Ａ側と第二分岐管３１５Ｂ側との両方から同時に流出口３３３側へと吸引することができる。このように埃等が吸引される吸引路が第一分岐管３１５Ａ側と第二分岐管３１５Ｂ側に分散されることで、例えば一方の吸引路が目詰まり等した場合であっても、他方の吸引路によって埃等の吸引作業を継続できる。
【００７０】
＜実施形態３＞
実施形態３のボール弁４４０は、図１９に示すように、その内部を貫通する貫通孔４４５と、その側面に設けられた２つの連通溝（以下、第一連通溝４４６Ａ、第二連通溝４４６Ｂと称する）と、を有している。第一連通溝４４６Ａは、第三側壁４４３から第二側壁４４２に連通するとともにボール弁４４０の側壁の一部を刳り抜く形で当該ボール弁４４０に設けられている。第二連通溝４４６Ｂは、第一側壁４４１から第四側壁４４４に連通するとともにボール弁４４０の側壁の一部を刳り抜く形で当該ボール弁４４０に設けられている。第一連通溝４４６Ａと第二連通溝４４６Ｂとは、ボール弁４４０の内壁及び貫通孔４４５を挟んで互いに独立したものとされている。
【００７１】
本実施形態において、図２０に示す状態からボール弁４４０を第一分岐管４１５Ａの管軸周りに右回りに略９０°回転させた場合に形成される第二連通状態では、第二の流入口４３２から第一連通溝４４６Ａを通過して流出口４３３に抜ける第一連通路４４６Ａが形成されるとともに、第一の流入口から第二連通溝４４６Ｂを通過して第三の流入口４３４に抜ける第二連通路４４６Ｂが形成される。
【００７２】
一方、図２０に示す状態からボール弁４４０を第一分岐管４１５Ａの管軸周りに左回りに略９０°回転させた場合に形成される第二連通状態では、第二の流入口４３２から第一連通溝４４６Ａを通過して第一の流入口４３１に抜ける第一連通路４４６Ａが形成されるとともに、第三の流入口４３４から第二連通溝４４６Ｂを通過して流出口４３３に抜ける第二連通路が形成される。
【００７３】
＜実施形態３の変形例＞
本変形例では、図２１に示すように、ホース連結具４１０の第一分岐管４１５Ａ側にモップ吸引具４２０が連結され、第二分岐管４１５Ｂ側にノズルブラシ４９５が連結されている。ノズルブラシ４９５は、図２１及び図２２に示すように、ブラシ取付部４９６と、ブラシ連通部４９７と、ブラシ部４９８と、から構成される。
【００７４】
また、図２３に示すように、ブラシ取付部４９６内には第二分岐管４１５Ｂの管軸方向に沿って延びるブラシ側リブ４９９が設けられている。このブラシ側リブ４９９は、平面視において円周の約１／４長さの円弧状となるように設けられている。このため、図２３に示すように、ブラシ側リブ４９９が第２のボール弁側リブ４４９Ｂの一端４４９Ｂ１と近接するようにブラシ側リブ４９９をボール弁４４０の第四側壁４４４側に配した場合、ブラシ側リブ４９９と第２のボール弁側リブ４４９Ｂの他端４４９Ｂ２との間に円周の約１／４長さのクリアランスＣＬが形成される。
【００７５】
上記クリアランスＣＬが形成されることで、図２３に示す状態から、ノズルブラシ４９５を左回りに略９０°回転させた場合、第２のボール弁側リブ４４９Ｂがブラシ側リブ４９９によって押されないため、ノズルブラシ４９５が空転し、ノズルブラシ４９５のみが左回りに略９０°回転する。一方、図２３に示す状態から、ノズルブラシ４９５を右回りに略９０°回転させた場合、ブラシ側リブ４９９の上記一端と近接する第２のボール弁側リブ４４９Ｂが当該ブラシ側リブ４９９によって押されるため、ノズルブラシ４９５と共にボール弁４４０が右回りに略９０°回転する。
【００７６】
ここで、図２３に示すボール弁４４０の向きは、第二連通状態における向きとされているものとする。本変形例では、上記のように図２５に示す状態からノズルブラシ４９５を左回りに略９０°回転させることで、第二連通状態を維持しながらノズルブラシ４９５の向きのみを略９０°変えることができる。一方、上記のように図２３に示す状態からノズルブラシ４９５を右回りに略９０°回転させることで、ノズルブラシ４９５と共にボール弁４４０の向きを略９０°変えることができ、第二連通状態から第一連通状態に切替えることができる。
【００７７】
上記の各実施形態の変形例を以下に列挙する。
（１）上記の各実施形態では、モップ吸引具において、覆いカバーが切れ目の両側縁部の一方に固定された構成を例示したが、清掃部に対する覆いカバーの固定態様については限定されない。また、覆いカバーの材質についても限定されない。
【００７８】
（２）上記の各実施形態では、ホース連結具にモップ吸引具が連結された構成を例示したが、ホース連結具に連結される部材はモップ吸引具に限定されるものではない。例えば、ホース連結具に隙間ノズルやブラシノズル等の部材が連結されてもよい。この場合、ノズルの吸引作業における利便性を飛躍的に向上させることができる。
【００７９】
（３）上記の実施形態２及び実施形態３では、第１のボール弁側リブ及び第２のボール弁側リブの少なくとも一端が、連結管側リブ又はブラシ側リブと近接して配される構成を例示したが、第１のボール弁側リブ及び第２のボール弁側リブの少なくとも一端が、連結管側リブ又はブラシ側リブと当接して配される構成であってもよい。
【００８０】
（４）上記の各実施形態以外にも、ホース連結具における接続管及び分岐管の形状、構成等については、適宜に変更可能である。
【００８１】
（５）上記の各実施形態以外にも、ボール弁に設けられる貫通孔の大きさ、形状等については、適宜に変更可能である。
【００８２】
（６）上記の各実施形態以外にも、ボール弁に設けられる連通溝の配置、形状等については、適宜に変更可能である。
【００８３】
（７）上記の実施形態２及び実施形態３以外にも、ボール弁に設けられるリブやホース連結具に連結される連結具に設けられるリブの配置、形状等については、適宜に変更可能である。
【産業上の利用可能性】
【００８４】
各実施形態で例示したボール弁を有するホース連結具は、空気だけでなく、水、ガス、化学物質等の配管の分岐用途等、様々な産業において活用することができる。また、各実施形態で例示したモップ吸引具は、従来に比べ、操作性や埃等の吸引力を飛躍的に向上させることができ、家庭、クリーンルームだけでなく、病院の医療機器、車内清掃の細部等、被清掃箇所が狭く、衝撃に弱い箇所の清掃に活用することができる。またモップの吸引具のモップの繊維部の当接部に紫外線照射機能を設けることにより、モップの繊維部の殺菌効果が得られ、より清潔にモップの連続使用が可能となる。【００８５】
なお、本発明は以下のような概念で示すこともできる。
（概念１）
両端が開口した中空の接続管の側面に分岐管が設けられ、前記接続管の一方の開口部の第一の流入口と、直通する他方の開口部の流出口と、前記分岐管の第二の流入口が合流する箇所に弁箱が設けられ、前記弁箱内に略球状のボール弁が前記弁箱の内壁に接して設けられ、前記ボール弁は、前記分岐管の中心を軸とした回転軸に取り付けられ、前記第一の流入口から前記流出口に貫通する貫通孔が設けられ、該貫通孔を前記接続管の軸線に対して９０°回転させた状態において、第一の流入口に臨む第一側壁と流出口に臨む第二側壁と前記分岐管側の第三側壁が設けられ、前記第三側壁から前記第二側壁に連通する連通溝が備えられて、直通する第一吸引路と、直交し合流する第二吸引路の切替え及び、相互の流入量の調整手段を有するホースの連通部。【００８６】
（概念２）
上記のホースの連結部の分岐管に筒状の清掃部の連結管が回動可能に連結されるモップの埃の吸引具であって、前記筒状の清掃部の連結管の回動中心部に、前記ホースの連結部の前記ボール弁の前記回転軸が取り付けられ、前記筒状の清掃部を回動させ、前記第一吸引路と前記第二吸引路との切替え、及び流入量の調整手段を有するモップの埃の吸引具。【００８７】
（概念３）
前記筒状の清掃部の略筒状の周壁の両端の開口部の内周縁部が、外側に拡がり、更に前記周壁中央部方向に延伸するＲ曲がり形状に形成されていることを特徴とするモップの埃の吸引具。【００８８】
（概念４）
前記筒状の清掃部の周壁の側面に両端の開口部に貫通する切れ目が設けられたモップの埃の吸引具において、前記切れ目に可撓性を有する覆いカバーが、前記切れ目の両側縁部の一方に固定され、前記切れ目を覆うように設けられているモップの埃の吸引具。【００８９】
（概念５）
可撓性を有する材料で形成されたモップの柄の側面に突起が形成され、モップの柄の把持部の反対方向に、前記モップの柄の前記側面から一定の寸法間、離間空間を保ち延伸し、モップの柄の前記側面に向かって前記離間空間を閉じて延伸し形成され該先端部と前記モップの側面が近接、または、接触している係止用の爪部を有するモップ。【００９０】
（概念６）
上記のモップの埃の吸引具を取り付ける手段を有する電気掃除機。
【符号の説明】
【００９１】
１…電気掃除機
５…ホース
８…ホース接続部
１０，３１０，４１０…ホース連結具
１４，３１４，４１４…接続管
１５…分岐管
２０，３２０，４２０…モップ吸引具
２１…連結管
２２，３２２，４２２…清掃部
３１，３３１，４３１…第一の流入口
３２，３３２，４３２…第二の流入口
３３，３３３，４３３…流出口
４０，３４０，４４０…ボール弁
４１，３４１，４４１…第一側壁
４２，３４２，４４２…第二側壁
４３，３４３，４４３…第三側壁
４４，３４４，４４４…第四側壁
４５，３４５，４４５…貫通孔
４６，３４６…連通溝
５１，３５１…第一連通路
５２，３５２…第二連通路
７０…吸引具側回転弁
８０…連結具側回転弁
３１５Ａ，４１５Ａ…第一分岐管
３１５Ｂ，４１５Ｂ…第二分岐管
３２９Ａ…連結管側リブ
３３４，４３４…第三の流入口
３４９Ａ，４４９Ａ…第１のボール弁側リブ
３４９Ｂ，４４９Ｂ…第２のボール弁側リブ
３９０…隙間ノズル
３９１Ａ…第一連結部
３９１Ｂ…第二連結部
３９９Ｂ…ノズル側リブ
３９２…ノズル部
４４６Ａ…第一連通溝
４４６Ｂ…第二連通溝
４９５…ノズルブラシ
４９６…ブラシ取付部
４９７…ブラシ連結部
４９８…ブラシ部
４９９…ブラシ側リブ 
【図１】
2014010668.tif 000003
【図２】
2014010668.tif 000004
【図３】
2014010668.tif 000005
【図４】
2014010668.tif 000006
【図５】
2014010668.tif 000007
【図６】
2014010668.tif 000008
【図７】
2014010668.tif 000009
【図８】
2014010668.tif 000010
【図９】
2014010668.tif 000011
【図１０】
2014010668.tif 000012
【図１１】
2014010668.tif 000013
【図１２】
2014010668.tif 000014
【図１３】
2014010668.tif 000015
【図１４】
2014010668.tif 000016
【図１５】
2014010668.tif 000017
【図１６】
2014010668.tif 000018
【図１７】
2014010668.tif 000019
【図１８】
2014010668.tif 000020
【図１９】
2014010668.tif 000021
【図２０】
2014010668.tif 000022
【図２１】
2014010668.tif 000023
【図２２】
2014010668.tif 000024
【図２３】
2014010668.tif 000025
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
両端が開口した中空とされ、一方の開口部を第一の流入口とし、該一方の開口部と通じる他方の開口部を流出口として構成される接続管と、前記接続管の側面に設けられ、その開口部を第二の流入口として構成される分岐管と、略球状をなし、前記接続管の前記第一の流入口と前記分岐管の前記第二の流入口とが合流する弁箱内において該弁箱の内壁に接する形で前記分岐管の管軸を回転軸として回動可能に配されるとともに、第一側壁と、第二側壁と、前記分岐管側に臨む第三側壁と、貫通孔と、前記第三側壁から前記第二側壁に連通する連通溝と、前記分岐管側に臨む部位の一部に前記連通溝の縁周りに沿って設けられ、該分岐管の管軸方向に沿って延びる回転弁側リブと、を有する回転弁と、を備え、
前記回転弁を前記回転軸の軸線周りに回転させることで、前記貫通孔によって前記第一の流入口と前記流出口とが連通する第一連通状態と、前記第一側壁が前記第一の流入口に臨むとともに前記第二側壁が前記流出口に臨んだ状態において、前記連通溝によって前記第二の流入口と前記流出口とが連通する第二連通状態と、が切替えられ、
前記回転弁側リブの端部が前記分岐管の管軸周りの方向に押されることで前記分岐管の管軸を回転軸として回動するものとされるホース連結具。
【請求項２】
前記第１の流入口と前記流出口とを連通する第一連通路と、前記第二の流入口と前記流出口とを連通する第二連通路と、は前記回転弁の内壁によって隔てられることで互いに独立したものとされる請求項１に記載のホース連結具。
【請求項３】
前記回転弁の角度によって、前記第一連通状態における前記第一の流入口から前記流出口への流通量と、前記第二連通状態における前記第二の流入口から前記流出口への流通量とが調整可能とされる請求項１又は請求項２に記載のホース連結具。
【請求項４】
前記分岐管は第一分岐管とされ、
前記接続管の側面にその開口部を第三の流入口として構成される第二分岐管を備え、前記回転弁は、前記貫通孔を挟んで前記第三側壁とは反対側に位置するとともに前記第二分岐管側に臨むものとされた第四側壁を有する請求項１から請求項３のいずれか１項に記載のホース連結具。
【請求項５】
前記連通溝は、前記第三側壁と前記第四側壁との各々から前記第二側壁に連通するものとして構成され、前記第二連通状態では、前記連通溝によって前記第二の流入口と前記第三の流入口と前記流出口とを連通するものとされる請求項４に記載のホース連結具。
【請求項６】
前記連通溝は第一連通溝とされ、
前記回転弁は、前記第一側壁から前記第四側壁に連通するとともに前記第一連通溝と独立したものとされる第二連通溝を有し、
前記第二連通状態では、前記第一連通溝と前記第二連通溝のいずれか一方によって前記第二の流入口と前記流出口とが連通するものとされる請求項４に記載のホース連結具。
【請求項７】
筒状の清掃部を有し、該清掃部の連結管が請求項１又は請求項２に記載のホース連結具における前記第一分岐管に回動可能に連結されたモップ吸引具であって、
前記清掃部は、略筒状をなす周壁の両端が開口する開口部とされ、前記開口部は、内周縁部が外側に拡がるとともに、前記周壁の中央部に延伸するＲ曲がり形状に形成されているモップ吸引具。
【請求項８】
前記清掃部の前記周壁の側面に、一方の前記開口部から他方の前記開口部まで延びる切れ目が設けられ、
可撓性を有する覆いカバーが前記切れ目を塞ぐ形で前記清掃部に固定されている請求項７に記載のモップ吸引具。
【請求項９】
ホースと、該ホースの端部のホース接続部に取り付けられた請求項１から請求項６のいずれか１項に記載のホース連結具と、を備える電気掃除機。
【請求項１０】
略球状をなす回転弁であって、該回転弁を貫通する貫通孔と、第一側壁と、前記貫通孔を挟んで反対側に位置する第二側壁と、第三側壁と、前記第一側壁と前記第二側壁との各々と隣り合うとともに前記貫通孔を挟んで前記第三側壁とは反対側に位置する第四側壁と、前記第三側壁から前記第二側壁に連通する第一連通溝と、前記第一側壁から前記第四側壁に連通するとともに前記第一連通溝と独立したものとされる第二連通溝と、を有する回転弁。
【国際調査報告】
2014010668.tif 000026
2014010668.tif 000027
2014010668.tif 000028
2014010668.tif 000029